(57)【要約】【課題】産業用機械のどのデータがデータ収集されているのかのデータ収集状況の確認を直感的に簡易に行う産業用機械のデータ収集確認装置を提供する。【解決手段】産業用機械のデータ収集確認装置は、前記産業用機械を示すオブジェクトを表示する表示部と、前記産業用機械におけるデータ収集可能な前記データを示す仮想オブジェクトを前記表示部に表示させるデータ表示制御部と、前記表示部に表示された前記データを示す仮想オブジェクトに対する操作者の操作を判断して、前記データを特定する操作判断部と、特定された前記データの収集履歴を取得する収集履歴取得部と、取得された前記データの収集履歴を前記表示部に表示させる収集履歴表示制御部と、を備える。【選択図】図１
2020197858.tif 000002
【特許請求の範囲】
【請求項１】
産業用機械のデータをデータ収集装置に収集しているときのデータ収集状況の確認を行うデータ収集確認装置であって、
前記産業用機械を示すオブジェクトを表示する表示部と、
前記産業用機械におけるデータ収集可能な前記データを示す仮想オブジェクトを前記表示部に表示させるデータ表示制御部と、
前記表示部に表示された前記データを示す仮想オブジェクトに対する操作者の操作を判断して、前記データを特定する操作判断部と、
特定された前記データの収集履歴を取得する収集履歴取得部と、
取得された前記データの収集履歴を前記表示部に表示させる収集履歴表示制御部と、
を備える、産業用機械のデータ収集確認装置。
【請求項２】
産業用機械のデータをデータ収集装置に収集しているときのデータ収集状況の確認を行うデータ収集確認装置であって、
現実に仮想を重ねた拡張現実を表示する表示部と、
前記表示部に表示される現実の前記産業用機械を特定する産業用機械特定部と、
前記産業用機械特定部によって特定された産業用機械におけるデータ収集可能な前記データに関する仮想オブジェクトを前記表示部に表示させるデータ表示制御部と、
前記表示部に表示された前記データを示す仮想オブジェクトに対する操作者の操作を判断して、前記データを特定する操作判断部と、
特定された前記データの収集履歴を取得する収集履歴取得部と、
取得された前記データの収集履歴を前記表示部に表示させる収集履歴表示制御部と、
を備える、産業用機械のデータ収集確認装置。
【請求項３】
産業用機械のデータをデータ収集装置に収集しているときのデータ収集状況の確認を行うデータ収集確認装置であって、
現実に仮想を重ねた拡張現実を表示する表示部と、
前記表示部に表示される現実の前記産業用機械を特定する産業用機械特定部と、
前記産業用機械特定部によって特定された産業用機械におけるデータ収集されている前記データの収集履歴を取得する収集履歴取得部と、
前記収集履歴取得部によって取得された前記データに関する仮想オブジェクトを前記表示部に表示させるデータ表示制御部と、
前記表示部に表示された前記データを示す仮想オブジェクトに対する操作者の操作を判断して、前記データを特定する操作判断部と、
前記収集履歴取得部によって取得された前記データの収集履歴に基づいて、前記操作判断部によって特定された前記データの収集履歴を前記表示部に表示させる収集履歴表示制御部と、
を備える、産業用機械のデータ収集確認装置。
【請求項４】
前記データ表示制御部は、前記産業用機械と、相関関係にある前記データ収集装置との相関を示すオブジェクトを、前記表示部に表示させ、
前記収集履歴表示制御部は、前記データの収集履歴を前記相関を示すオブジェクトの近くに表示させる、
請求項１〜３のいずれか１項に記載の産業用機械のデータ収集確認装置。
【発明の詳細な説明】
【技術分野】
【０００１】
本発明は、産業用機械のデータ収集確認装置に関する。
【背景技術】
【０００２】
複数の産業用機械の各種データをデータ収集装置に集中的に収集するデータ収集システムが知られている（例えば、特許文献１参照）。
【先行技術文献】
【特許文献】
【０００３】
【特許文献１】特開２０１８−１７３８５８号公報
【発明の概要】
【発明が解決しようとする課題】
【０００４】
このように、産業用機械のデータ収集の分野において、産業用機械のどのデータがデータ収集されているのかのデータ収集状況の確認を直感的に簡易に行うことが望まれている。
【課題を解決するための手段】
【０００５】
本開示の産業用機械のデータ収集確認装置は、産業用機械のデータをデータ収集装置に収集しているときのデータ収集状況の確認を行うデータ収集確認装置であって、前記産業用機械を示すオブジェクトを表示する表示部と、前記産業用機械におけるデータ収集可能な前記データを示す仮想オブジェクトを前記表示部に表示させるデータ表示制御部と、前記表示部に表示された前記データを示す仮想オブジェクトに対する操作者の操作を判断して、前記データを特定する操作判断部と、特定された前記データの収集履歴を取得する収集履歴取得部と、取得された前記データの収集履歴を前記表示部に表示させる収集履歴表示制御部と、を備える。
【０００６】
本開示の他の産業用機械のデータ収集確認装置は、産業用機械のデータをデータ収集装置に収集しているときのデータ収集状況の確認を行うデータ収集確認装置であって、現実に仮想を重ねた拡張現実を表示する表示部と、前記表示部に表示される現実の前記産業用機械を特定する産業用機械特定部と、前記産業用機械特定部によって特定された産業用機械におけるデータ収集可能な前記データに関する仮想オブジェクトを前記表示部に表示させるデータ表示制御部と、前記表示部に表示された前記データを示す仮想オブジェクトに対する操作者の操作を判断して、前記データを特定する操作判断部と、特定された前記データの収集履歴を取得する収集履歴取得部と、取得された前記データの収集履歴を前記表示部に表示させる収集履歴表示制御部と、を備える。
【０００７】
本開示の更に他の産業用機械のデータ収集確認装置は、産業用機械のデータをデータ収集装置に収集しているときのデータ収集状況の確認を行うデータ収集確認装置であって、現実に仮想を重ねた拡張現実を表示する表示部と、前記表示部に表示される現実の前記産業用機械を特定する産業用機械特定部と、前記産業用機械特定部によって特定された産業用機械におけるデータ収集されている前記データの収集履歴を取得する収集履歴取得部と、前記収集履歴取得部によって取得された前記データに関する仮想オブジェクトを前記表示部に表示させるデータ表示制御部と、前記表示部に表示された前記データを示す仮想オブジェクトに対する操作者の操作を判断して、前記データを特定する操作判断部と、前記収集履歴取得部によって取得された前記データの収集履歴に基づいて、前記操作判断部によって特定された前記データの収集履歴を前記表示部に表示させる収集履歴表示制御部と、を備える。
【発明の効果】
【０００８】
本開示によれば、産業用機械のデータ収集の分野において、産業用機械のどのデータがデータ収集されているのかのデータ収集状況の確認を直感的に簡易に行うことができる。
【図面の簡単な説明】
【０００９】
【図１】第１実施形態に係る工作機械のデータ収集確認装置を含むデータ収集システムの構成を示す図である。
【図２】第１実施形態に係る工作機械のデータ収集確認装置による表示の一例を示す図である。
【図３】第１実施形態に係る工作機械のデータ収集確認装置によるデータ収集確認動作のフローチャートを示す図である。
【図４】第２実施形態に係る工作機械のデータ収集確認装置を含むデータ収集システムの構成を示す図である。
【図５】第２実施形態に係る工作機械のデータ収集確認装置による表示の一例を示す図である。
【図６】第２実施形態に係る工作機械のデータ収集確認装置によるデータ収集確認動作のフローチャートを示す図である。
【図７】第２実施形態の変形例に係る工作機械のデータ収集確認装置による表示の一例を示す図である。
【図８】第２実施形態の変形例に係る工作機械のデータ収集確認装置による表示の一例を示す図である。
【図９】第２実施形態の変形例に係る工作機械のデータ収集確認装置による表示の一例を示す図である。
【図１０】第２実施形態の変形例に係る工作機械のデータ収集確認装置によるデータ収集確認動作のフローチャートを示す図である。
【図１１】第２実施形態の変形例に係る工作機械のデータ収集確認装置による表示の一例を示す図である。
【発明を実施するための形態】
【００１０】
以下、添付の図面を参照して本発明の実施形態の一例について説明する。なお、各図面において同一又は相当の部分に対しては同一の符号を附すこととする。
【００１１】
（第１実施形態）
図１は、第１実施形態に係る工作機械のデータ収集確認装置を含むデータ収集システムの構成を示す図である。図２は、第１実施形態に係る工作機械のデータ収集確認装置による表示の一例を示す図である。図１に示すデータ収集システムでは、工作機械１０と、データ収集装置２０と、データ収集確認装置１００とが、ＬＡＮ、ＷＡＮ等の有線又は無線のネットワーク、又はＢｌｕｅｔｏｏｔｈ、Ｗｉ−Ｆｉ等の近距離通信によって接続される。
【００１２】
工作機械１０は、例えば数値制御により所定の加工を行う機器である。工作機械１０は、情報送信部１１と位置特定部１２とを備える。
【００１３】
情報送信部１１は、工作機械におけるデータ収集可能な各種データをデータ収集装置２０に送信する。データ収集可能なデータとしては、例えば温度センサの温度、振動センサのデータ、主軸回転数、制御軸回転数、工具の寿命、数値制御データ、プログラマブルロジックコントローラの回路情報、負荷電流、通電時間、加工部品数が挙げられる。
位置特定部１２は、工作機械の位置情報を保持する。
【００１４】
データ収集装置２０は、例えばホストコンピュータである。データ収集装置２０は、工作機械１０のデータを収集する。データ収集装置２０は、情報取得部２１と情報保持部２２とを備える。
【００１５】
情報取得部２１は、工作機械１０からデータを収集する。
情報保持部２２は、情報取得部２１によって取得した工作機械１０のデータを保持する。
【００１６】
データ収集確認装置１００は、工作機械１０のどのデータがデータ収集装置２０に収集されているかのデータ収集状況の確認を行う。データ収集確認装置１００は、例えばスマートフォン、タブレット、ＰＣ等の情報処理装置である。
データ収集確認装置１００は、情報保持部１１０と、表示操作部１２０と、データ表示制御部１３１と、収集履歴表示制御部１３２と、操作判断部１３３と、収集履歴取得部１３４とを備える。
【００１７】
データ収集確認装置１００（情報保持部１１０及び表示操作部１２０を除く）は、例えば、ＤＳＰ（Digital Signal Processor）、ＦＰＧＡ（Field‐Programmable Gate Array）等の演算プロセッサで構成される。データ収集確認装置１００（情報保持部１１０及び表示操作部１２０を除く）の各種機能は、例えば記憶部に格納された所定のソフトウェア（プログラム、アプリケーション）を実行することで実現される。データ収集確認装置１００（情報保持部１１０及び表示操作部１２０を除く）の各種機能は、ハードウェアとソフトウェアとの協働で実現されてもよいし、ハードウェア（電子回路）のみで実現されてもよい。
【００１８】
情報保持部１１０は、例えばＥＥＰＲＯＭ等の書き換え可能なメモリ、又は例えばＨＤＤ（Hard Disk Drive）又はＳＳＤ（Solid State Drive）等の書き換え可能なディスクである。情報保持部１１０は、収集可能データ保持部１１１と、部品位置保持部１１２と、データ−部品間関連情報保持部１１３とを含む。
【００１９】
収集可能データ保持部１１１は、データ収集可能なデータを、工作機械ごとに保持する。データ収集可能なデータとしては、例えば温度センサの温度、振動センサのデータ、主軸回転数、制御軸回転数、工具の寿命、数値制御データ、プログラマブルロジックコントローラの回路情報、負荷電流、通電時間、加工部品数が挙げられる。
【００２０】
部品位置保持部１１２は、データ収集可能なデータに対応する部品の位置を、工作機械ごとに保持する。データ収集可能なデータに対応する部品としては、例えば温度センサ、振動センサ、各種モータ、工具、クーラントの格納部、IO機器、加工物が挙げられる。
【００２１】
データ−部品間関連情報保持部１１３は、収集可能データ保持部１１１によって保持されたデータと、部品位置保持部１１２によって保持されたデータ収集可能なデータに対応する部品の位置とが関連付けされたデータ−部品間関連情報を、工作機械ごとに保持する。
【００２２】
表示操作部１２０は、液晶ディスプレイ等の表示機器を含み、例えばＷＥＢ画面を表示する。表示操作部１２０は、工作機械又はデータ収集装置を示すオブジェクトを表示する。
【００２３】
また、表示操作部１２０は、タッチパネル等の操作機器を含み、操作者による操作を検出する。
【００２４】
データ表示制御部１３１は、収集可能データ保持部１１１に保持されたデータ収集可能なデータ、部品位置保持部１１２に保持されたデータ収集可能なデータに対応する部品の位置、及びデータ―部品間関連情報保持部１１３に保持されたデータ―部品間関連情報に基づいて、工作機械におけるデータ収集可能なデータを示すオブジェクトを表示操作部１２０に表示又は協調表示させる（図２参照）。データ収集可能なデータを示すオブジェクトとしては、データに対応する部品を示すオブジェクト、データの項目、データの項目の選択肢等が挙げられる。
【００２５】
収集履歴表示制御部１３２は、収集履歴取得部１３４によって取得された工作機械のデータの収集履歴を表示操作部１２０に表示させる。
【００２６】
操作判断部１３３は、表示操作部１２０に表示された工作機械のデータを示すオブジェクトに対する操作者の操作を判断して、操作者によって選択されたデータを特定する。
【００２７】
収集履歴取得部１３４は、特定されたデータの収集履歴（収集時間情報含む）を、工作機械又はデータ取集装置から取得する。
【００２８】
次に、図３を用いて、本実施形態に係る工作機械のデータ収集確認装置によるデータ収集確認動作について説明する。図３は、本実施形態に係る工作機械のデータ収集確認装置によるデータ収集確認動作のフローチャートである。
【００２９】
まず、表示操作部１２０は、所望の工作機械のオブジェクトを表示する（Ｓ１０１）。次に、データ表示制御部１３１は、収集可能データ保持部１１１に保持されたデータ収集可能なデータ、部品位置保持部１１２に保持されたデータ収集可能なデータに対応する部品の位置、及びデータ―部品間関連情報保持部１１３に保持されたデータ―部品間関連情報に基づいて、工作機械におけるデータ収集可能なデータに関する仮想オブジェクトを、表示操作部１２０に表示させる（Ｓ１０２）。
【００３０】
図２の例では、工作機械における温度センサ（部品）の温度（データ）が収集可能である場合、現実の工作機械において、温度センサの位置近傍が例えば赤色で強調表示されると共に、温度センサ及び温度の仮想オブジェクトが表示されている。例えば、仮想オブジェクトは、温度センサが現実の位置にあるかのような位置及び深度で表示される。これによれば、データ収集可能なデータを操作者によって直感的に認識しやすくすることができる。
【００３１】
また、図２の例では、工作機械における主軸回転数（データ）が収集可能である場合、現実の工作機械において、工具（部品）の位置近傍に工具ホルダの仮想オブジェクトが表示されると共に、使用中の工具が例えば赤色で強調表示されている。例えば、仮想オブジェクトは、工具又は工具ホルダが現実の位置にあるかのような位置及び深度で表示される。これによれば、データ収集可能なデータを操作者によって直感的に認識しやすくすることができる。
【００３２】
次に、操作判断部１３３は、表示操作部１２０に表示されたデータに関する仮想オブジェクトに対する操作者の操作を判断する（Ｓ１０３）。操作者の操作がない場合、ステップＳ１０３に戻る。
【００３３】
一方、例えば、操作者が、表示操作部１２０に表示された所望のデータに関する仮想オブジェクトをタップする操作を行う。すると、操作判断部１３３は、操作者によって選択された工作機械のデータを特定する（Ｓ１０４）。
【００３４】
次に、収集履歴取得部１３４は、工作機械１０或いは上位システムから、特定されたデータの収集履歴を取得する（Ｓ１０５）。
【００３５】
次に、収集履歴表示制御部１３２は、取得したデータの収集履歴を、表示操作部１２０に表示させる（Ｓ１０６）。図２の例では、データの収集履歴は、操作者によって選択されたデータのオブジェクトの近くに表示されている。なお、複数のデータ収集を行っている装置によってデータ収集されている場合、これらのデータの収集履歴を組み合わせて表示してもよい。
【００３６】
以上説明したように、第１実施形態の工作機械のデータ収集確認装置１００によれば、
・工作機械におけるデータ収集可能なデータを示す仮想オブジェクト（部品又は項目、選択肢）を表示し、
・表示部に表示されたデータを示す仮想オブジェクトに対する操作者の操作を判断して、データを特定し、
・特定されたデータの収集履歴を取得し、
・取得されたデータの収集履歴を表示する、
これにより、例えば、操作者は、
・表示部に表示された所望の産業用機械のデータを選択するような直感的かつ簡易な操作を行うだけで、工作機械のデータ収集履歴を、すなわち工作機械のどのデータがデータ収集装置に収集されているのかのデータ収集状況を確認することができる。
【００３７】
（第２実施形態）
第２実施形態では、ＡＲ機能を有するデータ収集確認装置を例示する。
【００３８】
図４は、第２実施形態に係る工作機械のデータ収集確認装置を含むデータ収集システムの構成を示す図であり、図５は、第２実施形態に係る工作機械のデータ収集確認装置による表示の一例を示す図である。図４に示すデータ収集確認装置１００は、図１に示すデータ収集確認装置１００と比較して、表示操作部１２０が異なり、データ収集装置特定部１３５と、位置特定部１３６と、位置取得部１３７とをさらに備える点で異なる。
【００３９】
表示操作部１２０は、液晶ディスプレイ等の表示機器を含み、現実に仮想を重ねた拡張現実（Augmented Reality：ＡＲ）を表示する。表示操作部１２０は、カメラ等の撮像機器により映された現実の工作機械に仮想オブジェクトを重ねて表示する。また、表示操作部１２０は、データ収集装置を示すオブジェクトを表示する。
【００４０】
また、表示操作部１２０は、タッチパネル等の操作機器を含み、操作者による操作を検出する。
【００４１】
データ収集装置特定部１３５は、表示操作部１２０に表示された工作機械のデータを収集しているデータ収集装置を探索し、特定する。データ収集装置特定部１３５の詳細は後述する。
【００４２】
位置特定部１３６は、例えば工作機械に設けられたＲＦＩＤ又はビーコンの電波強度測位によって、表示操作部１２０に表示された現実の工作機械の位置を特定する。
【００４３】
位置取得部１３７は、工作機械１０（例えば位置特定部１２）から、工作機械の位置情報を取得する。
【００４４】
次に、図６を用いて、第２実施形態に係る工作機械のデータ収集確認装置によるデータ収集確認動作について説明する。図６は、第２実施形態に係る工作機械のデータ収集確認装置によるデータ収集確認動作のフローチャートである。
【００４５】
まず、操作者が、カメラ等の撮像機器により表示操作部１２０に所望の工作機械を映す。すると、位置特定部１３６は、例えば工作機械に設けられたＲＦＩＤ又はビーコンの電波強度測位によって、表示操作部１２０に表示された現実の工作機械の位置を特定する。これにより、位置特定部１３６は、位置取得部１３７によって取得された工作機械の位置情報に基づいて、表示操作部１２０に表示された現実の工作機械を特定することができる（Ｓ２０１）。
【００４６】
次に、データ表示制御部１３１は、収集可能データ保持部１１１に保持されたデータ収集可能なデータ、部品位置保持部１１２に保持されたデータ収集可能なデータに対応する部品の位置、及びデータ―部品間関連情報保持部１１３に保持されたデータ―部品間関連情報に基づいて、工作機械におけるデータ収集可能なデータに関する仮想オブジェクトを、表示操作部１２０に表示させる（Ｓ２０２）。
【００４７】
次に、操作判断部１３３は、表示操作部１２０に表示されたデータに関する仮想オブジェクトに対する操作者の操作を判断する（Ｓ２０３）。操作者の操作がない場合、ステップＳ２０３に戻る。
【００４８】
一方、例えば、操作者が、表示操作部１２０に表示された所望のデータに関する仮想オブジェクトをタップする操作を行う。すると、操作判断部１３３は、操作者によって選択されたデータを特定する（Ｓ２０４）。
【００４９】
次に、データ収集装置特定部１３５は、ネットワークにおいて、特定された工作機械から、選択されたデータを収集しているデータ収集装置を探索して、特定する（Ｓ２０５）。例えば、データ収集装置特定部１３５は、工作機械に問い合わせを行い、データ収集装置との通信内容を工作機械に確認させることにより、データ収集装置の探索を行ってもよい。或いは、データ収集装置特定部１３５は、外部の情報保持部（例えば、データベース又はルータ）に問い合わせを行い、保持された工作機械とデータ収集装置との通信内容又は相関を取得することにより、データ収集装置の探索を行ってもよい。
【００５０】
次に、収集履歴取得部１３４は、探索されたデータ収集装置２０（例えば、情報保持部２２）から、選択されたデータの収集履歴を取得する（Ｓ２０６）。
【００５１】
次に、収集履歴表示制御部１３２は、取得したデータの収集履歴を、表示操作部１２０に表示させる（Ｓ２０７）。図５の例では、データの収集履歴は、操作者によって選択されたデータのオブジェクトの近くに表示されている。なお、複数のデータ収集を行っている装置によってデータ収集されている場合、これらのデータの収集履歴を組み合わせて表示してもよい。
【００５２】
以上説明したように、第２実施形態の工作機械のデータ収集確認装置１００でも、第１実施形態の工作機械のデータ収集確認装置１００と同様の利点を得ることができる。
【００５３】
（第２実施形態の変形例）
図７及び図８は、第２実施形態の変形例に係る工作機械のデータ収集確認装置による表示の一例を示す図であり、
図１１は、第２実施形態の変形例に係る工作機械のデータ収集確認装置によるデータ収集確認動作のフローチャートである。
【００５４】
まず、操作者が、カメラ等の撮像機器により表示操作部１２０に所望の工作機械を映し、表示操作部１２０に表示された現実の工作機械をタップする。すると、操作判断部１３３は、操作者によって選択された工作機械を特定する。
【００５５】
次に、位置特定部１３６は、例えば工作機械に設けられたＲＦＩＤ又はビーコンの電波強度測位によって、表示操作部１２０に表示された現実の工作機械の位置を特定する。これにより、位置特定部１３６は、位置取得部１３７によって取得された工作機械の位置情報に基づいて、表示操作部１２０に表示された現実の工作機械を特定することができる（Ｓ２０１）。
【００５６】
また、操作者が、カメラ等の撮像機器により表示操作部１２０に所望のデータ収集装置を映し、表示操作部１２０に表示された現実のデータ収集装置をタップする。すると、操作判断部１３３は、操作者によって選択されたデータ収集装置を特定する。
【００５７】
次に、データ収集装置特定部１３５は、ネットワークにおいて、特定された工作機械から、選択されたデータを収集しているデータ収集装置を探索して、特定する（Ｓ２１１）。
【００５８】
次に、データ収集装置特定部１３５は、特定された工作機械と特定されたデータ収集装置との間にデータ収集の関係があるかを判断する（Ｓ２１２）。データ収集の関係がない場合、ステップＳ２０１に戻る。
【００５９】
一方、データ収集の関係にある場合、収集履歴取得部１３４は、特定されたデータ収集装置２０（例えば、情報保持部２２）から、選択されたデータの収集履歴を取得する（Ｓ２０６）。
【００６０】
データ表示制御部１３１は、取得したデータの項目（オブジェクト）を表示操作部１２０に表示させる（Ｓ２０２）。図７の例では、データ表示制御部１３１は、特定された工作機械と特定されたデータ収取装置との相関を示すオブジェクト、例えば相関線を表示させる。データ表示制御部１３１は、データ収集の有無に応じて区別可能に相関線を表示させてもよい。例えば、データ収集されている場合には緑色の相関線が表示され、データ収集されていない場合には黒色の相関線が表示されてもよい。この場合、データ表示制御部１３１は、取得したデータの項目（オブジェクト）、例えばデータの項目の選択肢を相関線の近くに表示させてもよい。
【００６１】
次に、操作判断部１３３は、表示操作部１２０に表示されたデータの項目（オブジェクト）に対する操作者の操作を判断する（Ｓ２０３）。操作者の操作がない場合、ステップＳ２０３に戻る。
【００６２】
一方、例えば、操作者が、表示操作部１２０に表示された所望のデータの項目（オブジェクト）をタップする操作を行う。すると、操作判断部１３３は、操作者によって選択されたデータの項目を特定する（Ｓ２０４）。
【００６３】
次に、収集履歴表示制御部１３２は、取得したデータの収集履歴に基づいて、選択された項目のデータの収集履歴を、表示操作部１２０に表示させる（Ｓ２０７）。図８の例では、データの収集履歴は、相関線の近くに表示されている。これにより、このように、工作機械とデータ収集装置とを結ぶ相関線上にデータの収集履歴を表示することにより、どの工作機械とどのデータ収集装置との間のデータの収集履歴なのか、操作者によって直感的に認識しやすくすることができる。また、図９に示すように工作機械のデータが複数のデータ収集装置に収集されている場合でも、区別しやすい。
【００６４】
このとき、データ表示制御部１３１は、選択されたデータに対応する部品を示すオブジェクトを、工作機械における実際の部品の位置、又はデータの収集履歴の近くに、強調表示させてもよい。これによれば、データの収集履歴を操作者によって直感的に認識しやすくすることができる。
【００６５】
なお、第２実施形態においても、図１１に示すように、工作機械とデータ収集装置との相関を示すオブジェクト、例えば相関線を表示し、この相関線の近くにデータの収集履歴を表示してもよい。
【００６６】
以上、本発明の実施形態について説明したが、本発明は上述した実施形態に限定されることなく、種々の変更及び変形が可能である。例えば、上述した実施形態では、工作機械のデータをデータ収集装置に収集しているときのデータ収集状況の確認を行うデータ収集確認装置を例示したが、本実施形態はこれに限定されない。本実施形態のデータ収集確認装置は、種々の産業用機械のデータをデータ収集装置に収集しているときのデータ収集状況の確認を行う種々の装置に適用可能である。
【符号の説明】
【００６７】
１  データ収集システム
１０  工作機械
１１  情報送信部
１２  位置特定部
２０  データ収集装置
２１  情報取得部
２２  情報保持部
１００  データ収集確認装置
１１０  情報保持部
１１１  収集可能データ保持部
１１２  部品位置保持部
１１３  データ−部品間関連情報保持部
１２０  表示操作部
１３１  データ表示制御部
１３２  収集履歴表示制御部
１３３  操作判断部
１３４  収集履歴取得部
１３５  データ収集装置特定部
１３６  位置特定部
１３７  位置取得部
【図１】
2020197858.tif 000003
【図２】
2020197858.tif 000004
【図３】
2020197858.tif 000005
【図４】
2020197858.tif 000006
【図５】
2020197858.tif 000007
【図６】
2020197858.tif 000008
【図７】
2020197858.tif 000009
【図８】
2020197858.tif 000010
【図９】
2020197858.tif 000011
【図１０】
2020197858.tif 000012
【図１１】
2020197858.tif 000013